(57)【要約】      （修正有）【課題】蚊の出入りを確実に抑え、臭気の漏洩を抑制し、破損のおそれのない雨水ますを提供する。【解決手段】雨水ます１１では、排水管１８の途中にます本体１３を設置し、ます本体１３の上部１４に雨水を通す外スクリーン１５を取り付け、外スクリーン１５の下方に雨水を通す中スクリーン１６を配置し、中スクリーンは、開口部３２を有する中仕切り板３３と、開口部に取り付けた回転自在の羽根車３４と、からなり、この羽根車の羽根５５で開口部を閉じることができる。【選択図】        図１
2004285649.tif 000002
【特許請求の範囲】
【請求項１】
排水管や排水溝の途中にます本体を設置し、このます本体の上部に雨水を通す外スクリーンを取り付け、外スクリーンの下方に雨水を通す中スクリーンを配置した雨水ますにおいて、
前記中スクリーンは、開口部を有する中仕切り板と、前記開口部に取り付けた回転自在の羽根車と、からなり、この羽根車の羽根で開口部を閉じることができるように構成したことを特徴とする雨水ます。
【請求項２】
前記開口部の縁に、羽根車を囲う一対の円弧板を設けたことを特徴とする請求項１記載の雨水ます。
【発明の詳細な説明】
【０００１】
【発明の属する技術分野】
本発明は路上や庭に集まる雨水を排水管に流下させる雨水ます（「ます」に枡、桝、マスの字が充てられることがあるが、この明細書では「ます」と表記する。）に関する。
【０００２】
【従来の技術】
地中に埋設する排水管へ、地上の水を流入させるために適当な間隔で雨水ますを設ける。すなわち、雨水ますは地中と地上との連絡路となる。
夏場で雨が少なく、排水管に水が流れていないときに、雨水ますの底に若干の水が溜まることがある。この溜まり水に蚊が卵を産み付け、ぼうふらが発生し、蚊が大量に発生することがあり、その対策が必要となる。
【０００３】
この対策として、ますの内部に中蓋を設けて、蚊の発生や悪臭の飛散を防止することが知られている（例えば、特許文献１参照。）。
また、ますの内部に銅材を設け、銅の殺菌作用で蚊の発生を防止することが知られている（例えば、特許文献２参照。）。
【０００４】
【特許文献１】
特開２００２−２０１７０４公報  （第３頁、図１）
【特許文献２】
特開２０００−１５４５８９公報  （第２頁、図１）
【０００５】
以上の特許文献１、２を、図面を参照の上、詳しく説明する。
図８は従来の排水ますの説明図である（特許文献１の図１を写したもの。）。
従来の排水ますＡは、ます本体１４の上にます蓋１を取り付け、内部に中蓋３（傾斜片６，６を有す。）を開放可能に取り付けたもので、雨水が一定量を超えて一定以上の重力になると巻きばね１１のばね力に抗して傾斜片６，６を開放し、降雨がないときは中蓋３の傾斜片６，６を閉じる。
【０００６】
すなわち、殆どの期間において中蓋が閉じているため、外からの蚊の浸入を防ぐことができる。蚊が浸入しなければ、ぼうふらが発生する虞がない。仮に、ぼうふらが発生したとしても、成虫となった蚊が中蓋３で閉じこめられるため、蚊の発生を効果的に防止することができ、且つ、臭気の漏洩も防止することができるというものである。
【０００７】
図９は従来の防蚊雨水ますの説明図である（特許文献２の図１を写したもの。）。
従来の雨水ます１０は、対向する内部側壁４１，４３の内部にそれぞれ角棒状ガイド２０，２０を取り付け、これらの角棒状ガイド２０，２０と内部側壁４２との間に板状銅部材３０を差し込んだもので、水が滞留する箇所に設けた板状銅部材３０の抗菌作用により、蚊が産み付けた卵を死滅させることができ、蚊の発生を防止することができるというものである。
【０００８】
【発明が解決しようとする課題】
しかし、上記図８に示す特許文献１の排水ますＡでは、傾斜片６，６が開いた際に蚊は中蓋３を通過することができ、少数ではあるが蚊が出入りする心配がある。
また、排水ますＡでは、雨水が増水した場合、排水管１３から逆流した雨水で中蓋３が破損する虞がある。
【０００９】
上記図９に示す特許文献２の雨水ます１０は、板状銅部材３０によって排水に銅イオンが含まれて水質が変化するので、環境に悪影響を及ぼす心配がある。
【００１０】
そこで、本発明の目的は、蚊の出入りをより確実に抑え、臭気の漏洩を抑制し、破損の虞がない雨水ますを提供することにある。
【００１１】
【課題を解決するための手段】
上記目的を達成するために請求項１では、排水管や排水溝の途中にます本体を設置し、このます本体の上部に雨水を通す外スクリーンを取り付け、外スクリーンの下方に雨水を通す中スクリーンを配置した雨水ますにおいて、中スクリーンは、開口部を有する中仕切り板と、開口部に取り付けた回転自在の羽根車と、からなり、この羽根車の羽根で開口部を閉じることができるように構成したことを特徴とする。
【００１２】
羽根車の羽根で中スクリーンの開口部を閉じるので、中スクリーンは蚊の浸入を阻止することができ、蚊の出入りをより確実に抑える。併せて、羽根車の羽根で中スクリーンの開口部を閉じるので、中スクリーンは雨水ますの底の汚濁した水から発生する悪臭の上昇流を止める。
【００１３】
大雨などで排水管を通じて水が逆流し、この水が地上に向かうことがある。このときには、羽根車が回転して実質的に開口部を開き、通水可能とする。そのため、逆流水圧で中スクリーンが破損する心配はない。
【００１４】
請求項２は、開口部の縁に、羽根車を囲う一対の円弧板を設けたことを特徴とする。
羽根車を囲う一対の円弧板を設けたので、羽根車の羽根がどこの位置で停止しても常に開口部を羽根と円弧板とで閉じることができ、蚊の出入りを抑えることができる。
【００１５】
【発明の実施の形態】
本発明の実施の形態を添付図に基づいて以下に説明する。なお、図面は符号の向きに見るものとする。
図１は本発明に係る雨水ますの断面図であり、雨水ます１１は、土１２の中に配置したます本体１３と、ます本体１３の上部１４に嵌めた外スクリーン１５と、外スクリーン１５の下方に配置した中スクリーン１６とからなる。１８，１８はます本体１３の下部に接続した排水管を示す。
【００１６】
ます本体１３は、第１〜第４側辺（図２参照）２１〜２４と、第１〜第４側辺２１〜２４の下端に形成した底辺２５と、からなる。
外スクリーン１５は、格子部３１を有し、格子部３１で雨水を通す。
【００１７】
中スクリーン１６は、開口部３２を有する中仕切り板３３と、開口部３２に取り付けた回転自在の羽根車３４と、からなる。３５，３５は中仕切り板３３に取り付けた取っ手を示す。
【００１８】
中仕切り板３３は、ます本体１３の上部１４から中央に位置する羽根車３４に向かって且つ、雨水ます１１の底辺２５の方向（矢印ａの方向）に傾斜する収集部３６と、中央に開けた開口部３２とからなる。
【００１９】
収集部３６は、第１〜第４傾斜辺（図２参照）４１〜４４を四角錐状に成形し、開口部３２の縁４６，４６に羽根車３４を囲う一対の円弧板４７，４７を設け、開口部３２の縁５１，５１（図２参照）に羽根車３４を囲う一対の側板５２，５２（図２参照）を設けたものである。
【００２０】
羽根車３４は、回転軸５４に羽根５５を取り付けたもので、羽根５５で開口部３２を開閉する。
羽根５５は、第１〜第６板片６１〜６６で構成し、第１〜第６板片６１〜６６のそれぞれの先端にシール材６７を取り付けたもので、これらの第１〜第６板片６１〜６６のピッチ角度をθ・・・（・・・は複数を示す。以下同様。）に設定した。
【００２１】
シール材６７と円弧板４７，４７との隙間は、０ｍｍに設定してシール材６７を円弧板４７に弱く接触させるのが望ましが、隙間を１．５ｍｍ以下に設定してもよい。Ｌｂは第２板片６２から第３板片６３までの弧の長さを示す。
羽根車３４を囲う円弧板４７の弧の長さをＬｃに設定した。円弧板４７の弧の長さＬｃは羽根５５の弧の長さＬｂを超える値である。
【００２２】
図２は図１の２矢視図であり、中スクリーン１６の中仕切り板３３および第１傾斜辺４１、第２傾斜辺４２、第４傾斜辺４４と、開口部３２の縁５１，５１に設けた羽根車３４を囲う一対の側板５２，５２と、側板５２，５２に嵌合させた羽根車３４の回転軸５４とを示す。
【００２３】
図３は図２の３部詳細図であり、側板５２に嵌合させた羽根車３４の回転軸５４を示す。
回転軸５４は、端部６８にリング部材７１を嵌め、リング部材７１をピン７２で固定し、羽根車３４を回転自在に支持する。７３は軸受けブッシュを示す。
羽根車３４（第６板片６６）と側板５２との隙間Ｓは、１．５ｍｍ以下に設定するのが望ましい。
【００２４】
図４は図１の４−４線断面図であり、中スクリーン１６の開口部３２に羽根車３４を取り付け、羽根５５の長さをＬに設定し、羽根車３４を一対の円弧板４７，４７および一対の側板５２，５２で囲った状態を示す。
【００２５】
図５は本発明に係る雨水ますの中スクリーンの斜視図である。
中スクリーン１６は、既に説明したように、開口部３２を有する中仕切り板３３と、開口部３２に取り付けた回転自在の羽根車３４と、からなり、羽根車３４の羽根５５の回転によって雨水を通し、羽根車３４の羽根５５が回転しない非回転時は閉じ状態を形成する。
【００２６】
以上に述べた雨水ますの作用を次に説明する。
図６は本発明に係る雨水ますの第１作用図である。
雨水ます１１の中スクリーン１６は、開口部３２を有する中仕切り板３３と、開口部３２に取り付けた回転自在の羽根車３４とで構成し、羽根車３４の羽根５５で開口部３２を閉じるので、中スクリーン１６で蚊７５・・・の進入を矢印▲１▼，▲１▼の如く阻止することができ、蚊７５・・・の出入りをより確実に抑えることができる。
【００２７】
また、中スクリーン１６（中仕切り板３３）の開口部３２を羽根車３４の羽根５５で閉じるので、雨水ます１１内からの上昇流を矢印▲２▼，▲２▼の如く止め、滞留させることができる。すなわち、中スクリーン１６によって雨水ます１１の底の汚濁した水７２から矢印▲３▼の如く発生する悪臭の上昇流を止めて、雨水ます１１から臭気が漏洩するのを抑制することができる。
【００２８】
図７は本発明に係る雨水ますの第２作用図である。
雨水ます１１の羽根車３４は雨水７６によって回転し、雨水７６を下流に流す。具体的には、雨水７６が中仕切り板３３の第１傾斜辺４１側から矢印▲４▼の如く流入し、第３傾斜辺４３側から矢印▲５▼の如く流入すると、羽根車３４の第１板片６１、第２板片６２に溜まる雨水７６の量は第４板片６４に溜まる雨水７６の量より多くなり、羽根車３４のバランスは崩れて、羽根車３４は矢印▲６▼の如く回転を始め、雨水７６を排水管１８に流下させる。従って、雨水を排水することができる。
【００２９】
同様に、大雨などで排水管１８から水が逆流した場合も、逆流した水の流量と圧力で羽根車３４は回転し、逆流した水を地表に逃がすことができる。従って、水が逆流したり滞留しても中スクリーン１６が外れる心配や破損する虞はなくなる。
【００３０】
図１に示すように、開口部３２の縁に、羽根車３４を囲う一対の円弧板４７，４７を設けたので、羽根車３４の第１〜第６板片６１〜６６がどこの位置で停止しても常に開口部３２を第１〜第６板片６１〜６６の何れかで閉じることができ、蚊の出入りを抑えることができる。
【００３１】
羽根車３４を囲う円弧板４７の弧の長さＬｃは羽根５５の弧の長さＬｂを超える値に設定したので、羽根車３４の第１〜第６板片６１〜６６がどこの位置で停止してもより確実に開口部３２を第１〜第６板片６１〜６６の何れかで閉じることができる。
【００３２】
羽根車３４と円弧板４７，４７との隙間を１．５ｍｍ以下に設定し且つ、図３の羽根車３４と側板５２との隙間Ｓを１．５ｍｍ以下に設定することで、羽根車３４の回転抵抗を小さくするとともに、蚊の通過を抑制することができる。
【００３３】
尚、本発明の実施の形態に示した羽根車３４の構造は任意であり、例えば、一方向のみに回転する構成でもよく、また、羽根５５の長さＬを回転軸５４とともに２分割以上に分割して羽根５５の軽量化を図ることも可能である。
羽根５５の枚数は６枚としたが、７枚以上でもよい。
【００３４】
【発明の効果】
本発明は上記構成により次の効果を発揮する。
請求項１では、雨水ますの中スクリーンは、開口部を有する中仕切り板と、開口部に取り付けた回転自在の羽根車と、からなり、この羽根車の羽根で開口部を閉じることができるように構成したので、中スクリーンで蚊の進入を阻止することができ、蚊の出入りをより確実に抑えることができる。
【００３５】
中スクリーンの開口部を羽根車の羽根で閉じるので、雨水ます内の上昇流を止めて滞留させることができる。すなわち、中スクリーンによって雨水ますの底の汚濁した水から発生する悪臭の上昇流を止めて、雨水ますから臭気が漏洩するのを抑制することができる。
【００３６】
大雨などで排水管を通じて水が逆流し、この水が地上に向かうことがある。このときには、羽根車が回転して実質的に開口部を開き、通水可能とする。その結果、逆流水圧で中スクリーンが破損される虞をなくすることができる。
【００３７】
請求項２では、開口部の縁に、羽根車を囲う一対の円弧板を設けたので、羽根車の羽根がどこの位置で停止しても常に開口部を羽根と円弧板とで閉じることができ、蚊の出入りを抑えることができる。
【図面の簡単な説明】
【図１】本発明に係る雨水ますの断面図
【図２】図１の２矢視図
【図３】図２の３部詳細図
【図４】図１の４−４線断面図
【図５】本発明に係る雨水ますの中スクリーンの斜視図
【図６】本発明に係る雨水ますの第１作用図
【図７】本発明に係る雨水ますの第２作用図
【図８】従来の排水ますの説明図
【図９】従来の防蚊雨水ますの説明図
【符号の説明】
１１…雨水ます、１３…ます本体、１４…ます本体の上部、１５…外スクリーン、１６…中スクリーン、１８…排水管、３２…開口部、３３…中仕切り板、３４…羽根車、４６…開口部の縁、４７…円弧板、５５…羽根、７６…雨水。
【図１】
2004285649.tif 000003
【図２】
2004285649.tif 000004
【図３】
2004285649.tif 000005
【図４】
2004285649.tif 000006
【図５】
2004285649.tif 000007
【図６】
2004285649.tif 000008
【図７】
2004285649.tif 000009
【図８】
2004285649.tif 000010
【図９】
2004285649.tif 000011